(57)【要約】      （修正有）【課題】ジグザグ折りされた折り片の束を連続用紙から確実かつ円滑に横ミシン目に沿って破断分離することができるジグザグ折り機の自動カット装置を提供する。【解決手段】連続用紙Ｗをジグザグ折り機Ｚによってジグザグ折りすることにより形成される折り片Ｓの相互に対向する１対の折り端部のうちの一方の折り端部を係脱自在に保持する区分け装置１と、区分け装置に保持された折り端部の下方側に隣接する折り端部を、区分け装置に保持された折り端部から離間する方向に移動させる、区分け装置の下方に配置された下爪装置２と、区分け装置と下爪装置とにそれぞれ保持された１対の折り端部間に位置する他方の折り端部に沿って連続用紙を切り離す、区分け装置と下爪装置との間に配置されたカッター装置３とから構成される。【選択図】図１
2019202835.tif 000002
【特許請求の範囲】
【請求項１】
連続用紙をジグザグ折り機によってジグザグ折りすることにより形成される折り片の相互に対向する１対の折り端部のうちの一方の折り端部を係脱自在に保持する区分け装置と、
区分け装置に保持された折り端部の下方側に隣接する折り端部を、区分け装置に保持された折り端部から離間する方向に移動させる、区分け装置の下方に配置された下爪装置と、
区分け装置と下爪装置とにそれぞれ保持された１対の折り端部間に位置する他方の折り端部に沿って連続用紙を切り離す、区分け装置と下爪装置との間に配置されたカッター装置と
から構成される、ジグザグ折り機における自動カット装置。
【請求項２】
前記区分け装置は前記一方の折り端部を係脱自在に挟持するための開閉自在な区分け爪部材と、該区分け爪部材を前記一方の折り端部を保持する位置へ前進、または、該保持位置から離間する位置へ後退させるための区分け爪移動部材とを有する、請求項１に記載の自動カット装置。
【請求項３】
前記下爪装置は区分け爪部材により保持された折り端部の下方側に隣接する折り端部を保持する下爪部材と、該下爪部材により保持された折り端部を区分け装置により保持された折り端部から下方に離間する方向へ降下させるための下爪昇降部材とからなる、請求項１または２に記載の自動カット装置。
【請求項４】
前記下爪装置は下爪部材を前記一方の折り端部を保持した区分け装置の区分け爪部材の下面に接する位置へ前進、または、下爪部材により保持された折り端部から離間する位置へ後退させるための下爪移動部材を備える、請求項３に記載の自動カット装置。
【請求項５】
前記区分け装置は区分け爪部材がジグザグ折りされる折り片の所定の位置にある前記一方の折り端部を保持するように選定された上方位置と、後続するジグザグ折り機による連続用紙のジグザグ折り作業のための空間を設けるように選定された下方位置との間で昇降するための区分け爪昇降部材を有する、請求項２、３または４に記載の自動カット装置。
【請求項６】
前記昇降する下爪装置の下方位置は下爪部材と作業テーブルとの間に位置する所定枚数の折り片の前記一方の折り端部の位置を固定するように選定される、請求項１〜５のいずれか１項に記載の自動カット装置。
【請求項７】
前記カッター装置は区分け装置と下爪装置とによりそれぞれ保持された２つの一方の端部間に位置する他方の折り端部を切り離すための板状のカッター刃と、該カッター刃を前記一方の端部から離間した待機位置と前記他方の折り端部を切断する位置との間を往復動させるためのカッター刃移動部材とからなる、請求項１〜６のいずれか１項に記載の自動カット装置。
【請求項８】
区分け装置を折り端部から離間した待機位置から前進させて、ジグザグ折り機によりジグザグ折りされる折り片のうちの作成しようとする折り片束の１頁目の折り片を含む折り端部の一方を保持する工程と、
折り端部を保持した区分け装置を下降させて、保持した折り端部の折り片の上方に後続するジグザグ折り作業のための空間を設ける工程と、
区分け装置により保持した折り端部を挟持する工程と、
下爪装置を折り端部から離間した待機位置から前進させて、区分け装置により挟持された折り端部の下方に隣接する折り端部を保持する工程と、
下爪装置を下降させて、区分け装置により挟持された折り端部と下爪装置により保持された折り端部との間に空間を設けると共に、作業テーブルとの間で折り片束の折り端部を固定する工程と、
カッター装置を折り端部から離間した待機位置から前進させて、区分け装置により挟持された折り端部と下爪装置により固定された折り端部との間の空間を通って区分け装置により挟持された折り端部と下爪装置により固定された折り端部との間に位置する他方の折り端部を折り目に沿って切り離す工程と、
区分け装置が挟持していた折り端部を解放したのち待機位置へ復帰する一方、下爪装置が固定していた折り端部を解放したのち折り端部から離間する方向へ移動する工程と、
切り離された折り片束を作業テーブルから後続の工程へ移送する工程と、
切り離された折り片束を移送したのちカッター装置を待機位置へ後退させることにより切り離し工程から移送工程の間にカッター装置の上に積み重ねられた折り片束を作業テーブル上に移す工程と、
下爪装置を待機位置へと上昇させる工程と
から構成される、ジグザグ折り機における自動カット方法。
【発明の詳細な説明】
【技術分野】
【０００１】
本発明は、主として、小冊子のような一定の頁数からなる印刷物を連続用紙を使用して作成する際に用いられるジグザグ折り機に付加して用いるための自動カット装置およびその装置を用いたカット方法に関するものである。
【背景技術】
【０００２】
近年、連続用紙から一定の頁数からなる印刷物を作成する方法は、単票印刷の場合には必要となる丁合装置を必要とせず、かつ、乱丁や落丁が生じる虞がないため、広く用いられている（特許文献１参照）。
【０００３】
しかしながら、折り数が一定の数に達したとき、その印刷物の折り片束を連続用紙から切り離す必要があった。この切り離し手段としては、ジグザグ折りされる連続用紙を周速の異なる２つのローラ間に圧接することにより横ミシン目に沿って破断する方法（特許文献２参照）や、作業テーブルの上に積み重ねられた折り片の束の一方からカッター刃を挿入し、他方から押え板を移動させて横ミシン目に沿って破断する方法（特許文献３参照）が提案されている。
【０００４】
前者の方法は、ジグザグ折りされる連続用紙の折り片の数を連続用紙の折り速度に応じて待機時間を調整することにより簡単に選定できる反面、走行中の連続用紙を単に切り離しているため、切り離された連続用紙の端部が踊って所望の位置から外れ、後続の製本加工処理に支障を生じ易いものであった。また、後者の方法にあっても、押え板により保持された折り片の束は問題なく後続の処理工程に移送し得るが、ジグザグ折り側の連続用紙はフリー状態で切断されるため、横ミシン目に沿った破断を円滑に行えずに歪な破断端となってしまう虞を常に有するものであった。
【先行技術文献】
【特許文献】
【０００５】
【特許文献１】特開平７−１０１１８１号公報
【特許文献２】特開平１１−１０６１２９号公報
【特許文献３】特開２００２−１７３２６４号公報
【発明の概要】
【発明が解決しようとする課題】
【０００６】
本発明は、ジグザグ折りされた折り片の束を連続用紙から確実かつ円滑に横ミシン目に沿って破断分離することができるジグザグ折り機の自動カット装置を提供しようとするものである。
【課題を解決するための手段】
【０００７】
本発明によるジグザグ折り機の自動カット装置は、連続用紙をジグザグ折り機によってジグザグ折りすることにより形成される折り片の相互に対向する１対の折り端部のうちの一方の折り端部を係脱自在に保持する区分け装置と、区分け装置に保持された折り端部の下方側に隣接する折り端部を、区分け装置に保持された折り端部から離間する方向に移動させる、区分け装置の下方に配置された下爪装置と、区分け装置と下爪装置とにそれぞれ保持された１対の折り端部間に位置する他方の折り端部に沿って連続用紙を切り離す、区分け装置と下爪装置との間に配置されたカッター装置とから構成される。
【０００８】
区分け装置は、前記一方の折り端部を係脱自在に挟持するための開閉自在な区分け爪部材と、該区分け爪部材を前記一方の折り端部を保持する位置へ前進、または、該保持位置から離間する位置へ後退させるための区分け爪移動部材とを有することもできる。
【０００９】
下爪装置は、区分け爪部材により保持された折り端部の下方側に隣接する折り端部を保持する下爪部材と、該下爪部材により保持された折り端部を区分け装置により保持された折り端部から下方に離間する方向へ降下させるための下爪昇降部材とを有するようにも構成され得る。下爪装置はまた、下爪部材を前記一方の折り端部を保持した区分け装置の区分け爪部材の下面に接する位置へ前進、または、下爪部材により保持された折り端部から離間する位置へ後退させるための下爪移動部材を備えていてもよい。
【００１０】
前記区分け装置は、区分け爪部材がジグザグ折りされる折り片の所定の位置にある前記一方の折り端部を保持するように選定された上方位置と、後続するジグザグ折り機による連続用紙のジグザグ折り作業のための空間を設けるように選定された下方位置との間で昇降するための区分け爪昇降部材を有することもできる。また、昇降する下爪装置の下方位置は下爪部材と作業テーブルとの間に位置する所定枚数の折り片の前記一方の折り端部の位置を固定するように選定されるのが好ましい。
【００１１】
前記カッター装置は区分け装置と下爪装置とによりそれぞれ保持された２つの一方の端部間に位置する他方の折り端部を切り離すための板状のカッター刃と、該カッター刃を前記一方の端部から離間した待機位置と前記他方の折り端部を切断する位置との間を往復動させるためのカッター刃移動部材とから構成することもできる。
【００１２】
本発明によるジグザグ折り機における自動カット方法は、区分け装置を折り端部から離間した待機位置から前進させて、ジグザグ折り機によりジグザグ折りされる折り片のうちの作成しようとする折り片束の１頁目の折り片を含む折り端部の一方を保持する工程と、折り端部を保持した区分け装置を下降させて、保持した折り端部の折り片の上方に後続するジグザグ折り作業のための空間を設ける工程と、区分け装置により保持した折り端部を挟持する工程と、下爪装置を折り端部から離間した待機位置から前進させて、区分け装置により挟持された折り端部の下方に隣接する折り端部を保持する工程と、下爪装置を下降させて、区分け装置により挟持された折り端部と下爪装置により保持された折り端部との間に空間を設けると共に、作業テーブルとの間で折り片束の折り端部を固定する工程と、カッター装置を折り端部から離間した待機位置から前進させて、区分け装置により挟持された折り端部と下爪装置により固定された折り端部との間の空間を通って区分け装置により挟持された折り端部と下爪装置により固定された折り端部との間に位置する他方の折り端部を折り目に沿って切り離す工程と、区分け装置が挟持していた折り端部を解放したのち待機位置へ復帰する一方、下爪装置が固定していた折り端部を解放したのち折り端部から離間する方向へ移動する工程と、切り離された折り片束を作業テーブルから後続の工程へ移送する工程と、切り離された折り片束を移送したのちカッター装置を待機位置へ後退させることにより切り離し工程から移送工程の間にカッター装置の上に積み重ねられた折り片束を作業テーブル上に移す工程と、下爪装置を待機位置へと上昇させる工程とから構成される。
【発明の効果】
【００１３】
本発明によれば、切り離しが行われる折り端部の上下に位置する１対の折り端部を区分け装置と下爪装置とによりそれぞれ確実に保持した状態でカッター装置によって切り離されるため、折り端部の折り目に沿った切り離しを確実かつ円滑に行うことができる。
【００１４】
下爪装置の下爪部材は、折り目に沿った切り離しを行う前に、区分け装置の区分け爪部材から所定間隔だけ離間するように構成されているため、切り離しが行われる折り端部に向かってカッター装置を確実に前進させることができ、より円滑かつ確実な切り離しを行うことができる。
【００１５】
区分け装置の区分け爪部材および下爪装置の下爪部材は、折り端部を保持をしている間を除き、折り端部から離間した位置に移動することにより、ジグザグ折りされる連続用紙の動きを阻害することはなく、また、区分け装置が折り端部を保持したのち下降することにより、連続的に行われるジグザグ折りを阻害することもない。一方、カッター装置のカッター刃は、折り端部から離間した待機位置から前進して対向側にある折り端部を切り離したのち、切り離された折り片束が後続の工程に移送される間、ジグザグ折りされる連続用紙の受け台として機能するため、連続用紙のジグザグ折りを乱れなく続行させることができる。
【図面の簡単な説明】
【００１６】
【図１】図１は、本発明の実施例による自動カット装置を有するジグザグ折り機の概要を示す図である。
【図２】図２は、図１に示すジグザグ折り機における連続用紙から折り片を作成する過程を説明するための図である。
【図３Ａ】図３Ａは、図１に示す自動カット装置の動きを説明するための図である。
【図３Ｂ】図３Ｂは、図３Ａに示す自動カット装置の動きの続きを説明するための図である。
【発明を実施するための形態】
【００１７】
本発明の実施例による自動カット装置Ｃは、図１に示すように、ジグザグ折り機Ｚに付設して用いられる。このジグザグ折り機Ｚそれ自体は周知慣用のジグザグ折り機であり、その詳細については割愛するが、図２に示すように、一定間隔で横ミシン目（図示なし）を施された連続用紙Ｗを、振子動するスウィングアームＡの自由端から送出し、スウィングアームＡの下方に配置された１対の折り装置Ｆ１、Ｆ２により、横ミシン目に沿ってジグザグ折りされる折り片Ｓの相互に対向する折り端部Ｅ１、Ｅ２にそれぞれ折り目付けを行うように構成されている。
【００１８】
自動カット装置Ｃは、ジグザグ折り機Ｚの１対の折り装置Ｆ１、Ｆ２のうちの一方の折り装置（図示の場合、図の左方の折り装置Ｆ１）の外側下方近傍に配置される。自動カット装置Ｃは、ジグザグ折り機Ｚによってジグザグ折りされた折り片Ｓの相互に対向する折り端部Ｅ１、Ｅ２のうちの一方の折り端部（図示の場合、折り端部Ｅ１）を係脱自在に保持するように構成された区分け装置１と、区分け装置１に保持された折り端部Ｅ１１の下方側に隣接する折り端部Ｅ１２を折り端部Ｅ１１から離間する方向に移動させるように構成される、区分け装置１の下方に配置された下爪装置２と、区分け装置１と下爪装置２とにそれぞれ保持された折り端部Ｅ１１、Ｅ１２間に位置する他方の折り端部Ｅ２１に沿って連続用紙Ｗを切り離すように構成される、区分け装置１と下爪装置２との間に配置されたカッター装置３とから構成される。
【００１９】
区分け装置１は、折り端部Ｅ１１を係脱自在に挟持するための開閉自在な区分け爪部材１１と、区分け爪部材１１が折り端部Ｅ１１を保持する位置へ前進、または、該保持位置から離間した位置へ後退させるための区分け爪移動部材１２とを有する。
【００２０】
下爪装置２は、区分け爪部材１１により保持された折り端部Ｅ１１の下方側に隣接する折り端部Ｅ１２を保持する下爪部材２１と、下爪部材２１により保持された折り端部Ｅ１２を折り端部Ｅ１１から下方に離間する方向へ降下させるための下爪昇降部材２２とを有する。下爪装置２はまた、下爪部材２を折り端部Ｅ１１を保持した区分け装置１の区分け爪部材１１の下面に接する位置へ前進、または、下爪部材２１により保持された折り端部Ｅ１２から離間する位置へ後退させるための下爪移動部材２３を備える。
【００２１】
区分け装置１は、区分け爪部材１１がジグザグ折りされる折り片Ｓの折り端部Ｅ１１を所定の位置で保持するように選定された上方位置と、後続するジグザグ折り機Ｚによる連続用紙Ｗのジグザグ折り作業のための空間を設けるように選定された下方位置との間で昇降するための区分け爪昇降部材１３を有する。また、下爪昇降部材２２により昇降される下爪部材２１の下方位置は、下爪部材２１と作業テーブルＴとの間に所定枚数の折り片Ｓを挟み込んだ状態で折り端部Ｅ１２を固定するように選定される。
【００２２】
カッター装置３は、区分け装置１と下爪装置２とによりそれぞれ保持された２つの端部Ｅ１１、Ｅ１２間に位置する対向側の折り端部Ｅ２１を切り離すための板状のカッター刃３１と、カッター刃３１を折り端部Ｅ１から離間した待機位置と折り端部Ｅ２を切断する位置との間を往復動させるためのカッター刃移動部材３２とから構成される。
【００２３】
上述の如く構成される本発明の自動カット装置Ｃは、
（１）ジグザグ折り機Ｚによりジグザグ折りされる折り片Ｓのうちの作成しようとする折り片束の１頁目の折り片Ｓを含む折り端部Ｅ１１を保持するように、区分け装置１を折り端部Ｅ１１から離間した待機位置から折り端部Ｅ１１へ前進させ（図３Ａの(Ａ)〜(Ｂ)参照）、
（２）保持した折り端部Ｅ１１の折り片Ｓの上方に、後続するジグザグ折り作業のための空間を設けるように、折り端部Ｅ１１を保持した区分け装置１を下降させ（図３Ａの(Ｃ)参照）、
（３）区分け装置１により保持した折り端部Ｅ１１を挟持し（図３Ａの(Ｄ)参照）、
（４）区分け装置１により挟持された折り端部Ｅ１１の下方に隣接する折り端部Ｅ１２を保持するように、下爪装置２を折り端部Ｅ１２から離間した待機位置から折り端部Ｅ１２へ前進させ（図３Ａの(Ｅ)参照）、
（５）区分け装置１により挟持された折り端部Ｅ１１と、下爪装置２により保持された折り端部Ｅ１２との間に空間を設けるように、下爪装置２を下降させて、作業テーブルＴとの間で折り片束の折り端部Ｅ１を固定し（図３Ｂの(Ｆ)参照）、
（６）区分け装置１により挟持された折り端部Ｅ１１と、下爪装置２により固定された折り端部Ｅ１２との間の空間を通って、折り端部Ｅ１１と折り端部Ｅ１２との間に位置する対向側の折り端部Ｅ２１を折り目に沿って切り離すように、カッター装置３を折り端部Ｅ１から離間した待機位置から折り端部Ｅ２の方向へ前進させ（図３Ｂの(Ｇ)参照）、
（７）区分け装置１が挟持していた折り端部Ｅ１１を解放したのち、区分け装置１を待機位置へ復帰させると共に、下爪装置１が固定していた折り端部Ｅ１２を解放したのち、下爪装置１を折り端部Ｅ１から離間する方向へ移動させ（図３Ｂの(Ｈ)参照）、
（８）切り離された折り片束を作業テーブルＴから後続の工程へ移送し（図３Ｂの(Ｉ)参照）、
（９）切り離された折り片束を移送したのち、カッター装置３を待機位置へ後退させることにより、切り離し工程から移送工程の間にカッター装置３の上に積み重ねられた折り片束を作業テーブルＴの上に移し（図３Ｂの(Ｉ)参照）、
（１０）下爪装置を待機位置へと上昇させる（図３Ｂの(Ｊ)参照）
ことにより一定枚数の折り片束を連続的に製造する。
【００２４】
より具体的には、本発明の自動カット装置Ｃは、図３Ａの(Ａ)に示すように、待機（始動）状態において、区分け装置１の区分け爪部材１１および下爪装置２の下爪部材２１が、ジグザグ折りされる折り片Ｓから側方に離間した位置で上方に移動された位置にあり、カッター装置３のカッター刃３１はジグザグ折りされる折り片Ｓから側方に離間した位置に位置している。また、区分け装置１の区分け爪部材１１は開いた状態で待機される。
【００２５】
ジグザグ折り機ＺのスウィングアームＡの振子動の回数が予め設定された回数に達すると、作業開始信号が自動カット装置Ｃに送られる。自動カット装置Ｃは、図３Ａの(Ｂ)に示すように、作業開始信号を受けて、区分け装置１の区分け爪移動部材１２を作動させ、爪を開いた状態にある区分け爪部材１１を所定の折り位置にある折り端部Ｅ１１に向かって前進させる。区分け爪部材１１が折り端部Ｅ１１を保持すると、図３Ａの(Ｃ)に示すように、区分け爪昇降部材１３が作動され、折り端部Ｅ１１を保持した区分け爪部材１１を上方位置から所定の距離だけ下方に離れた下方位置に向かって移動させる。この上方位置から下方位置への移動は、区分け爪部材１１が折り端部Ｅ１１を保持する位置を折り装置Ｆ１（またはＦ２）近傍に設定することにより、目的とする折り端部Ｅ１１を確実に保持できる反面、後続する折り作業のための空間が不足してしまうのを回避することができる。また、この下方位置は、区分け装置１の区分け爪部材１１が下爪装置２の下爪部材２１の上方に隣接する位置に位置づけられる。
【００２６】
下降された区分け装置１の区分け爪部材１１は、図３Ａの(Ｄ)に示すように、保持した折り端部Ｅ１１を掴むように閉じられる。次いで、図３Ａの(Ｅ)に示すように、下爪装置２の下爪移動部材２３が作動され、下爪部材２１を区分け爪部材１１に沿って移動させ、区分け爪部材１１により挟持した折り端部Ｅ１１と折り端部Ｅ１１の下方に隣接する折り端部Ｅ１２との間に下爪部材２１を挿入したのち、図３Ｂの(Ｆ)に示すように、下爪昇降部材２２を作動して下爪部材２１を下降させることにより折り端部Ｅ１２を下方に押し下げ、下爪部材２１と作業テーブルＴとの間に位置する折り端部Ｅ１を固定すると共に、折り端部Ｅ１１と折り端部Ｅ１２との間に空間を設ける。続いて、図３Ｂの(Ｇ)に示すように、カッター刃移動部材３２を作動して、区分け爪部材１１と下爪部材２１との間に配置されたカッター刃３１を移動させることにより、カッター刃３１は折り端部Ｅ１１と折り端部Ｅ１２との間に位置する対向側の折り端部Ｅ２１を横ミシン目に沿って切り離し、所定枚数の折り片Ｓの束を作業テーブルＴの上に作成する。
【００２７】
折り端部Ｅ２１の切り離し作業が完了すると、図３Ｂの(Ｈ)に示すように、区分け爪部材１１は、区分け爪移動部材１２により折り端部Ｅ１から離間した位置へ後退されたのち、区分け爪昇降部材１３により始動時の上方位置に上昇される。下爪部材２１は、下爪移動部材２３により折り端部Ｅ１から離間した位置へ後退される。このとき、カッター刃３１は切断のための前進位置に保持され、持続する折り作業により折られた折り片Ｓは、図３Ｂの(Ｇ)〜(Ｉ)に示すように、カッター刃３１の上に積み重ねられる。
【００２８】
カッター刃３１により切り離された折り片Ｓの束は、図３Ｂの(Ｉ)に示すように、作業テーブルＴに設けられた押出プッシャＰにより後続する工程（図示の場合、搬送用ベルトコンベアＢ）に排出される。折り片Ｓの束の排出が完了すると、図３Ｂの(Ｊ)に示すように、押出プッシャＰは初動位置に復帰し、カッター刃３１がカッター刃移動部材３２により後退位置に復帰して、カッター刃３１の上に積み重ねられていた折り片Ｓの束を作業テーブルＴの上に移動させる。次いで、下爪部材２１が下爪昇降部材２２により上昇されて、図３Ａの(Ａ)に示す待機（始動）状態に戻り、上述した工程が繰り返される。
【符号の説明】
【００２９】
１    区分け装置
１１    区分け爪部材
１２    区分け爪移動部材
１３    区分け爪昇降部材
２    下爪装置
２１    下爪部材
２２    下爪昇降部材
２３    下爪移動部材
３    カッター装置
３１    カッター刃
３２    カッター刃移動部材
Ａ    スウィングアーム
Ｂ    搬送用ベルトコンベア
Ｃ    自動カット装置
Ｆ１、Ｆ２    折り装置
Ｅ１、Ｅ２    折り端部
Ｅ１１    （区分け爪部材保持された）折り端部
Ｅ１２    （折り端部Ｅ１１に隣接する）折り端部
Ｅ２１    （対向側の）折り端部
Ｐ    押出プッシャ
Ｓ    折り片
Ｔ    作業テーブル
Ｗ    連続用紙
Ｚ    ジグザグ折り機
【図１】
2019202835.tif 000003
【図２】
2019202835.tif 000004
【図３Ａ】
2019202835.tif 000005
【図３Ｂ】
2019202835.tif 000006